(57)【要約】【課題】ユーザが形成した形成画像とユーザ情報とを対応させて記憶させる際のユーザ情報の入力作業を軽減させる。【解決手段】ウエブサーバ５Ａは、ユーザの個人情報を埋め込んだコード画像を含む応募用紙を作成する。その後、この応募用紙が、コンビニエンスストアなどに設置された画像形成装置４にて印刷される。その後、ユーザがイメージキャラクターなどの描画をこの応募用紙に対して行なう。その後、ユーザの描画により形成された形成画像およびコード画像が画像形成装置４の画像読み取り部により読み取られる。その後、メージデータ受信サーバ５Ｃにて、画像読み取り部が読み取った形成画像の画像データと、画像読み取り部が読み取ったコード画像を解析することにより得られたユーザの個人情報と、が対応づけられた状態で記憶される。【選択図】図１
2013070167.tif 000002
【特許請求の範囲】
【請求項１】
ユーザ端末を介して入力されたユーザの個人情報を受け付ける受け付け手段と、当該受け付け手段にて受け付けた当該個人情報を含むコード画像を生成するコード画像生成手段と、当該個人情報を記憶部へ記憶させる記憶手段と、を備えたサーバと、
前記サーバの前記コード画像生成手段にて生成された前記コード画像を記録材に形成する画像形成手段と、当該画像形成手段が当該記録材に形成した当該コード画像およびユーザが当該記録材に形成した形成画像を読み取る画像読み取り手段と、当該画像読み取り手段により読み取られた当該コード画像の画像データ又は当該コード画像を解析することにより得られた前記個人情報と当該画像読み取り手段により読み取られた前記形成画像の画像データとを前記サーバへ送信する送信手段と、を備えた画像形成装置と、
を備え、
前記サーバの前記記憶手段は、前記個人情報と前記送信手段により送信された前記形成画像の画像データとを対応付けて前記記憶部に記憶させ、
前記記憶部に記憶される前記個人情報は、前記ユーザ端末から送信された前記個人情報が前記受け付け手段にて受け付けられたときの当該個人情報ではなく、前記送信手段が前記サーバへ送信した前記コード画像の画像データを解析することにより得られた個人情報又は当該送信手段が当該サーバへ送信した前記個人情報であることを特徴とする処理システム。
【請求項２】
ユーザ端末を介して入力されたユーザに関する情報を受け付ける受け付け手段と、
前記受け付け手段にて受け付けられた前記ユーザに関する情報を含んで生成されたコード画像を記録材に形成する画像形成手段と、
前記画像形成手段が前記コード画像を形成した前記記録材に対してユーザが形成した形成画像、および、当該記録材上の当該コード画像を読み取る画像読み取り手段と、
前記画像読み取り手段により読み取られた前記コード画像から前記ユーザに関する情報を取得する情報取得手段と、
前記情報取得手段により取得された前記ユーザに関する情報、および、前記画像読み取り手段により読み取られた前記形成画像を関連付けて記憶する記憶手段と、
を備える処理システム。
【請求項３】
前記記憶手段は、前記画像読み取り手段が読み取った読み取り画像を記憶することで、当該読み取り画像中に含まれる前記形成画像を記憶し、
前記画像読み取り手段が読み取った前記読み取り画像中に前記コード画像が含まれていない場合、前記記憶手段による当該読み取り画像の記憶が行われないことを特徴とする請求項２記載の処理システム。
【請求項４】
前記情報取得手段は、前記コード画像から前記ユーザに関する情報を少なくとも取得し、
前記情報取得手段により取得された情報により特定される事項が予め定められた条件を満たすか否かを判定する判定手段を更に備え、
前記特定される事項が前記予め定められた条件を満たさないとの判定が前記判定手段にてなされた場合、前記記憶手段による前記形成画像の記憶が行われないことを特徴とする請求項２又は３に記載の処理システム。
【請求項５】
ユーザ端末を介して入力されたユーザに関する情報を含んで生成されたコード画像の画像データを取得する画像データ取得手段と、
前記画像データ取得手段により取得された前記画像データを用い、記録材に対して前記コード画像を形成する画像形成手段と、
前記画像形成手段が前記記録材に形成した前記コード画像と、ユーザによって当該記録材に形成された形成画像と、を読み取る画像読み取り手段と、
前記画像読み取り手段により読み取られた前記コード画像の画像データ又は当該コード画像を解析することにより得られた前記ユーザに関する情報と、当該画像読み取り手段により読み取られた前記形成画像の画像データと、を外部へ送信する送信手段と、
を備える画像形成装置。
【請求項６】
前記送信手段は、前記画像読み取り手段により読み取られた画像に前記コード画像が含まれていない場合、前記形成画像の画像データの前記外部への送信を行わないことを特徴とする請求項５記載の画像形成装置。
【請求項７】
前記画像読み取り手段により読み取られた前記コード画像を解析し当該コード画像に含まれる情報を取得する情報取得手段を更に備え、
前記送信手段は、前記形成画像の前記送信を行う前に、前記情報取得手段により取得された情報を外部機器へ送信し、当該情報により特定される事項が予め定められた条件を満たしているとの判定結果を当該外部機器から受信した後に、当該形成画像の当該送信を行うことを特徴とする請求項５又は６に記載の画像形成装置。
【請求項８】
前記画像形成手段は、矩形状に形成された記録材の四隅のそれぞれに前記コード画像を形成することを特徴とする請求項５乃至７の何れかに記載の画像形成装置。
【請求項９】
ユーザ端末を介して入力されたユーザに関する情報を受信する受信手段と、
前記受信手段にて受信された前記ユーザに関する情報を含んだコード画像を生成するコード画像生成手段と、
記録材に画像を形成する画像形成装置に対し、前記コード画像生成手段により生成された前記コード画像の画像データを送信する画像データ送信手段と、
前記画像形成装置が前記コード画像の形成を行った記録材に対してユーザが形成した形成画像についての画像データ、および、当該記録材上の当該コード画像を解析することにより得られた前記ユーザに関する情報を互いに関連付けた状態で記憶する記憶手段と、
を備えるサーバ。
【請求項１０】
前記画像形成装置が記録材上に形成した前記コード画像を解析することにより得られた情報を受信する解析情報受信手段と、
前記解析情報受信手段により受信された前記情報により特定される事項が予め定められた条件を満たしているか否かを判定する判定手段と、
前記判定手段による判定結果を前記画像形成装置へ送信する判定結果送信手段と、
を更に備えることを特徴とする請求項９記載のサーバ。
【請求項１１】
前記コード画像生成手段は、前記ユーザに関する情報の他に、当該ユーザが応募を行ったキャンペーンに関する情報を含めて前記コード画像を生成し、
前記解析情報受信手段は、前記コード画像を解析することにより得られる前記キャンペーンに関する情報を受信し、
前記判定手段は、前記解析情報受信手段にて受信された前記キャンペーンに関する情報に基づき、ユーザが応募を行ったキャンペーンを特定し、特定した当該キャンペーンが有効なキャンペーンであるか否かを判定することを特徴とする請求項１０記載のサーバ。
【請求項１２】
前記コード画像生成手段は、前記ユーザに関する情報の他に、当該ユーザが応募を行ったキャンペーンに関する情報を含めて前記コード画像を生成し、
前記解析情報受信手段は、前記コード画像を解析することにより得られる前記キャンペーンに関する情報を受信し、
前記判定手段は、前記解析情報受信手段にて受信された前記キャンペーンに関する情報に基づき、ユーザが応募を行ったキャンペーンを特定し、特定した当該キャンペーンへの応募数が予め定められた応募数を超えているか否かを判定することを特徴とする請求項１０記載のサーバ。
【請求項１３】
前記コード画像生成手段は、前記コード画像の生成に際し、前記ユーザに関する情報の他に、当該コード画像の形成が行われる記録材を他の記録材から識別するための識別情報を含めて当該コード画像を生成し、
前記解析情報受信手段は、前記コード画像を解析することにより得られる前記識別情報を受信し、
前記判定手段は、前記解析情報受信手段にて受信された前記識別情報を利用して、当該識別情報が付された記録材の使用回数を特定し、特定した当該使用回数が予め定められた使用回数を超えているか否かを判定することを特徴とする請求項１０記載のサーバ。
【請求項１４】
ユーザ端末を介して入力されたユーザに関する情報を含むコード画像の画像データを取得する機能と、
取得された前記画像データを、記録材に画像を形成する画像形成部に対し供給するとともに、当該画像形成部を動作させ、記録材に対して前記コード画像を形成する機能と、
前記記録材に形成された前記コード画像、および、ユーザによって当該記録材に形成された形成画像を、画像読み取り部により読み取らせる機能と、
前記画像読み取り部により読み取られた前記コード画像の画像データ又は当該コード画像を解析することにより得られた前記ユーザに関する情報と、当該画像読み取り部により読み取られた前記形成画像の画像データと、を外部へ送信する機能と、
をコンピュータに実現させるためのプログラム。
【請求項１５】
ユーザ端末を介して入力されたユーザに関する情報を含んだコード画像を生成する機能と、
記録材に画像を形成する画像形成装置に対し、生成された前記コード画像の画像データを送信する機能と、
前記画像形成装置が前記コード画像の形成を行った記録材に対してユーザが形成した形成画像についての画像データ、および、当該記録材上の当該コード画像を解析することにより得られた前記ユーザに関する情報を互いに関連付けた状態で記憶部に記憶させる機能と、
をコンピュータに実現させるためのプログラム。
【請求項１６】
ユーザに関する情報を取得する機能と、
前記ユーザに関する情報を含んだコード画像を生成する機能と、
キャンペーンへの応募に用いられる応募用紙の画像データであって、生成された前記コード画像を含んだ画像データを生成する機能と、
をコンピュータに実現させるためのプログラム。
【発明の詳細な説明】
【技術分野】
【０００１】
本発明は、処理システム、画像形成装置、サーバ、および、プログラムに関する。
【背景技術】
【０００２】
商品等の選択や処理方法の選択を指示するためのチェックボックスと、文字記入領域と、印刷物ＩＤ及びチェックボックスの配置及び文字記入領域の位置情報を符号化したバーコードとが印刷された印刷物が使用され、コピーＦＡＸ複合機が、この印刷物を光学的に読み取り、バーコードをデコードし、顧客により選択されたチェックボックスを特定する技術が知られている（例えば、特許文献１参照）。
【先行技術文献】
【特許文献】
【０００３】
【特許文献１】特開２００２−１８３５２０号公報
【発明の概要】
【発明が解決しようとする課題】
【０００４】
本発明の目的は、ユーザが形成した形成画像とユーザ情報とを対応させて記憶させる際のユーザ情報の入力作業を軽減させることにある。
【課題を解決するための手段】
【０００５】
請求項１に記載の発明は、ユーザ端末を介して入力されたユーザの個人情報を受け付ける受け付け手段と、当該受け付け手段にて受け付けた当該個人情報を含むコード画像を生成するコード画像生成手段と、当該個人情報を記憶部へ記憶させる記憶手段と、を備えたサーバと、前記サーバの前記コード画像生成手段にて生成された前記コード画像を記録材に形成する画像形成手段と、当該画像形成手段が当該記録材に形成した当該コード画像およびユーザが当該記録材に形成した形成画像を読み取る画像読み取り手段と、当該画像読み取り手段により読み取られた当該コード画像の画像データ又は当該コード画像を解析することにより得られた前記個人情報と当該画像読み取り手段により読み取られた前記形成画像の画像データとを前記サーバへ送信する送信手段と、を備えた画像形成装置と、を備え、前記サーバの前記記憶手段は、前記個人情報と前記送信手段により送信された前記形成画像の画像データとを対応付けて前記記憶部に記憶させ、前記記憶部に記憶される前記個人情報は、前記ユーザ端末から送信された前記個人情報が前記受け付け手段にて受け付けられたときの当該個人情報ではなく、前記送信手段が前記サーバへ送信した前記コード画像の画像データを解析することにより得られた個人情報又は当該送信手段が当該サーバへ送信した前記個人情報であることを特徴とする処理システムである。
【０００６】
請求項２に記載の発明は、ユーザ端末を介して入力されたユーザに関する情報を受け付ける受け付け手段と、前記受け付け手段にて受け付けられた前記ユーザに関する情報を含んで生成されたコード画像を記録材に形成する画像形成手段と、前記画像形成手段が前記コード画像を形成した前記記録材に対してユーザが形成した形成画像、および、当該記録材上の当該コード画像を読み取る画像読み取り手段と、前記画像読み取り手段により読み取られた前記コード画像から前記ユーザに関する情報を取得する情報取得手段と、前記情報取得手段により取得された前記ユーザに関する情報、および、前記画像読み取り手段により読み取られた前記形成画像を関連付けて記憶する記憶手段と、を備える処理システムである。
請求項３に記載の発明は、前記記憶手段は、前記画像読み取り手段が読み取った読み取り画像を記憶することで、当該読み取り画像中に含まれる前記形成画像を記憶し、前記画像読み取り手段が読み取った前記読み取り画像中に前記コード画像が含まれていない場合、前記記憶手段による当該読み取り画像の記憶が行われないことを特徴とする請求項２記載の処理システムである。
請求項４に記載の発明は、前記情報取得手段は、前記コード画像から前記ユーザに関する情報を少なくとも取得し、前記情報取得手段により取得された情報により特定される事項が予め定められた条件を満たすか否かを判定する判定手段を更に備え、前記特定される事項が前記予め定められた条件を満たさないとの判定が前記判定手段にてなされた場合、前記記憶手段による前記形成画像の記憶が行われないことを特徴とする請求項２又は３に記載の処理システムである。
【０００７】
請求項５に記載の発明は、ユーザ端末を介して入力されたユーザに関する情報を含んで生成されたコード画像の画像データを取得する画像データ取得手段と、前記画像データ取得手段により取得された前記画像データを用い、記録材に対して前記コード画像を形成する画像形成手段と、前記画像形成手段が前記記録材に形成した前記コード画像と、ユーザによって当該記録材に形成された形成画像と、を読み取る画像読み取り手段と、前記画像読み取り手段により読み取られた前記コード画像の画像データ又は当該コード画像を解析することにより得られた前記ユーザに関する情報と、当該画像読み取り手段により読み取られた前記形成画像の画像データと、を外部へ送信する送信手段と、を備える画像形成装置である。
請求項６に記載の発明は、前記送信手段は、前記画像読み取り手段により読み取られた画像に前記コード画像が含まれていない場合、前記形成画像の画像データの前記外部への送信を行わないことを特徴とする請求項５記載の画像形成装置である。
請求項７に記載の発明は、前記画像読み取り手段により読み取られた前記コード画像を解析し当該コード画像に含まれる情報を取得する情報取得手段を更に備え、前記送信手段は、前記形成画像の前記送信を行う前に、前記情報取得手段により取得された情報を外部機器へ送信し、当該情報により特定される事項が予め定められた条件を満たしているとの判定結果を当該外部機器から受信した後に、当該形成画像の当該送信を行うことを特徴とする請求項５又は６に記載の画像形成装置である。
請求項８に記載の発明は、前記画像形成手段は、矩形状に形成された記録材の四隅のそれぞれに前記コード画像を形成することを特徴とする請求項５乃至７の何れかに記載の画像形成装置である。
【０００８】
請求項９に記載の発明は、ユーザ端末を介して入力されたユーザに関する情報を受信する受信手段と、前記受信手段にて受信された前記ユーザに関する情報を含んだコード画像を生成するコード画像生成手段と、記録材に画像を形成する画像形成装置に対し、前記コード画像生成手段により生成された前記コード画像の画像データを送信する画像データ送信手段と、前記画像形成装置が前記コード画像の形成を行った記録材に対してユーザが形成した形成画像についての画像データ、および、当該記録材上の当該コード画像を解析することにより得られた前記ユーザに関する情報を互いに関連付けた状態で記憶する記憶手段と、を備えるサーバである。
請求項１０に記載の発明は、前記画像形成装置が記録材上に形成した前記コード画像を解析することにより得られた情報を受信する解析情報受信手段と、前記解析情報受信手段により受信された前記情報により特定される事項が予め定められた条件を満たしているか否かを判定する判定手段と、前記判定手段による判定結果を前記画像形成装置へ送信する判定結果送信手段と、を更に備えることを特徴とする請求項９記載のサーバである。
請求項１１に記載の発明は、前記コード画像生成手段は、前記ユーザに関する情報の他に、当該ユーザが応募を行ったキャンペーンに関する情報を含めて前記コード画像を生成し、前記解析情報受信手段は、前記コード画像を解析することにより得られる前記キャンペーンに関する情報を受信し、前記判定手段は、前記解析情報受信手段にて受信された前記キャンペーンに関する情報に基づき、ユーザが応募を行ったキャンペーンを特定し、特定した当該キャンペーンが有効なキャンペーンであるか否かを判定することを特徴とする請求項１０記載のサーバである。
請求項１２に記載の発明は、前記コード画像生成手段は、前記ユーザに関する情報の他に、当該ユーザが応募を行ったキャンペーンに関する情報を含めて前記コード画像を生成し、前記解析情報受信手段は、前記コード画像を解析することにより得られる前記キャンペーンに関する情報を受信し、前記判定手段は、前記解析情報受信手段にて受信された前記キャンペーンに関する情報に基づき、ユーザが応募を行ったキャンペーンを特定し、特定した当該キャンペーンへの応募数が予め定められた応募数を超えているか否かを判定することを特徴とする請求項１０記載のサーバである。
請求項１３に記載の発明は、前記コード画像生成手段は、前記コード画像の生成に際し、前記ユーザに関する情報の他に、当該コード画像の形成が行われる記録材を他の記録材から識別するための識別情報を含めて当該コード画像を生成し、前記解析情報受信手段は、前記コード画像を解析することにより得られる前記識別情報を受信し、前記判定手段は、前記解析情報受信手段にて受信された前記識別情報を利用して、当該識別情報が付された記録材の使用回数を特定し、特定した当該使用回数が予め定められた使用回数を超えているか否かを判定することを特徴とする請求項１０記載のサーバである。
【０００９】
請求項１４に記載の発明は、ユーザ端末を介して入力されたユーザに関する情報を含むコード画像の画像データを取得する機能と、取得された前記画像データを、記録材に画像を形成する画像形成部に対し供給するとともに、当該画像形成部を動作させ、記録材に対して前記コード画像を形成する機能と、前記記録材に形成された前記コード画像、および、ユーザによって当該記録材に形成された形成画像を、画像読み取り部により読み取らせる機能と、前記画像読み取り部により読み取られた前記コード画像の画像データ又は当該コード画像を解析することにより得られた前記ユーザに関する情報と、当該画像読み取り部により読み取られた前記形成画像の画像データと、を外部へ送信する機能と、をコンピュータに実現させるためのプログラムである。
請求項１５に記載の発明は、ユーザ端末を介して入力されたユーザに関する情報を含んだコード画像を生成する機能と、記録材に画像を形成する画像形成装置に対し、生成された前記コード画像の画像データを送信する機能と、前記画像形成装置が前記コード画像の形成を行った記録材に対してユーザが形成した形成画像についての画像データ、および、当該記録材上の当該コード画像を解析することにより得られた前記ユーザに関する情報を互いに関連付けた状態で記憶部に記憶させる機能と、をコンピュータに実現させるためのプログラムである。
請求項１６に記載の発明は、ユーザに関する情報を取得する機能と、前記ユーザに関する情報を含んだコード画像を生成する機能と、キャンペーンへの応募に用いられる応募用紙の画像データであって、生成された前記コード画像を含んだ画像データを生成する機能と、をコンピュータに実現させるためのプログラムである。
【発明の効果】
【００１０】
請求項１の発明によれば、ユーザが形成した形成画像とユーザ情報とを対応させて記憶させる際のユーザ情報の入力作業を軽減させることが可能になるとともにユーザ情報の漏洩を起きにくくすることができる。
請求項２の発明によれば、ユーザが形成した形成画像とユーザ情報とを対応させて記憶させる際のユーザ情報の入力作業を軽減させることが可能になる。
請求項３の発明によれば、ユーザが形成した形成画像とは関係のない画像が記憶手段により記憶されることを抑制することができる。
請求項４の発明によれば、記憶手段による記憶が行われることが適当ではない形成画像が記憶手段に記憶されることを防ぐことができる。
【００１１】
請求項５の発明によれば、ユーザが形成した形成画像とユーザ情報とを対応させて記憶させる際のユーザ情報の入力作業を軽減させることが可能になる。
請求項６の発明によれば、ユーザが形成した形成画像とは関係のない画像が画像形成装置の外部へ送信されることを抑制することができる。
請求項７の発明によれば、送信手段による外部への送信が行われることが適当ではない形成画像が外部へ送信されることを防ぐことができる。
請求項８の発明によれば、コード画像に含まれる情報が画像形成装置にて取得される可能性が高まる。
【００１２】
請求項９の発明によれば、ユーザが形成した形成画像とユーザ情報とを対応させて記憶させる際のユーザ情報の入力作業を軽減させることが可能になる。
請求項１０の発明によれば、サーバによる記憶が行われることが適当ではない形成画像がサーバに記憶されることを防ぐことができるようになる。
請求項１１の発明によれば、既に終了しているキャンペーンに対して応募された形成画像がサーバに記憶されることを抑制することができるようになる。
請求項１２の発明によれば、予め定められた応募数に達してしまったキャンペーンに対して応募された形成画像がサーバに記憶されることを抑制することができるようになる。
請求項１３の発明によれば、予め定められた使用回数を超えて使用された応募用紙上の形成画像がサーバに記憶されることを抑制することができるようになる。
【００１３】
請求項１４の発明によれば、ユーザが形成した形成画像とユーザ情報とを対応させて記憶させる際のユーザ情報の入力作業を軽減させることが可能になる。
請求項１５の発明によれば、ユーザが形成した形成画像とユーザ情報とを対応させて記憶させる際のユーザ情報の入力作業を軽減させることが可能になる。
請求項１６の発明によれば、ユーザが形成した形成画像とユーザ情報とを対応させて記憶させる際のユーザ情報の入力作業を軽減させることが可能になる。
【図面の簡単な説明】
【００１４】
【図１】本発明の実施形態に係る処理システムの構成例を示した図である。
【図２】画像形成装置の構成を示すブロック図である。
【図３】ユーザ端末の構成を示すブロック図である。
【図４】本実施形態の形態に係る処理システムにおける処理の流れを示したフローチャートである。
【図５】応募用紙の印刷が行われる際に実行される処理の流れを示したフローチャートである。
【図６】応募用紙を説明するための図である。
【図７】応募用紙の内容がイメージデータ受信サーバへ送信される際の処理の流れを示したフローチャートである。
【発明を実施するための形態】
【００１５】
以下、添付図面を参照して、本発明の実施形態について説明する。
図１は、本発明の実施形態に係る処理システムの構成例を示した図である。本実施形態の処理システム１００は、例えば、絵画コンクールなどのキャンペーンや、イメージキャラクター募集などのキャンペーンに用いられる。また、本処理システム１００は、ユーザの作品を郵送ではなく電子データで応募する際に用いられるシステムを示している。
【００１６】
詳細に説明すると、本実施形態の処理システム１００は、図１に示すように、ユーザの自宅などに設置されインターネットや公衆回線などのネットワーク２に接続された複数のユーザ端末３と、コンビニエンスストアなどに設置されネットワーク２に接続された複数の画像形成装置４と、ネットワーク２に接続されたサーバ装置５とから構成されている。ここで、サーバ装置５には、ネットワーク２を介してユーザ端末３に接続されるウエブサーバ５Ａ、ネットワーク２を介しウエブサーバ５Ａおよび画像形成装置４に接続されるプリントサーバ５Ｂ、ネットワーク２を介し画像形成装置４に接続されるイメージデータ受信サーバ５Ｃとから構成されている。
【００１７】
ウエブサーバ５Ａ、プリントサーバ５Ｂ、および、イメージデータ受信サーバ５Ｃは、本処理システム１００を管理する管理者側に配置されている。ここで、ウエブサーバ５Ａ、プリントサーバ５Ｂ、および、イメージデータ受信サーバ５Ｃの各々は、ＣＰＵ（Central Processing Unit）、制御プログラムが記憶された不揮発性のＲＯＭ（Read Only Memory）やＨＤＤ（Hard Disk Drive）、データを一時的に記憶するＲＡＭ（Random Access Memory）などを有したコンピュータ装置により構成される。また、ウエブサーバ５Ａ、プリントサーバ５Ｂ、および、イメージデータ受信サーバ５Ｃには、データの送受信に用いられる通信インターフェース（通信Ｉ／Ｆ）（不図示）が設けられている。
【００１８】
図２は、画像形成装置４の構成を示すブロック図である。
本実施形態の画像形成装置４には、同図に示すように、ユーザによりセットされた原稿上の画像を読み取る画像読み取り部４１、画像読み取り部４１により取得された画像データやプリントサーバ５Ｂから取得した画像データに基づき記録材の一例である用紙に画像を形成する画像形成部４２が設けられている。なお、画像形成装置４には、ＳＤカードなどの記憶媒体から画像データを読み出す読み出し部が設けられており（不図示）、画像形成部４２は、この記憶媒体から読み出された画像データに基づき画像を形成する場合もある。
【００１９】
ここで、画像読み取り部４１は、いわゆるスキャナにより構成されており、光源と、光源により照射された光であって原稿から反射された光を受光する受光部とを備えている。
また、画像形成部４２は、いわゆる電子写真方式により用紙に対して画像を形成する。ここでこの画像形成部４２は、感光体ドラム、感光体ドラムを帯電する帯電装置、画像データに基づき感光体ドラムを露光する露光装置、感光体ドラム上に形成された潜像をトナーを用いて現像する現像装置、現像により形成されたトナー像を用紙に転写する転写装置とから構成されている。なお本実施形態では、いわゆる電子写真方式により画像を形成する場合を例示したが、インクジェット方式などの他の方式を用いて画像を形成することもできる。
【００２０】
また、画像形成装置４には、タッチパネル方式のモニタにより構成され、ユーザからの入力を受け付けるとともにユーザに対して情報を表示するユーザインタフェース（ＵＩ）４３が設けられている。また、画像形成装置４には、ユーザが支払った貨幣を受けるとともに釣り銭の支払いを行う課金装置４４が設けられている。
【００２１】
また、画像形成装置４には、画像形成装置４に設けられた各部、各装置を制御する制御部４５、データの送受信に用いられる通信インターフェース（通信Ｉ／Ｆ）（不図示）が設けられている。ここで、制御部４５は、予め定められた演算処理を実行するＣＰＵ（Central Processing Unit）、制御プログラムが記憶された不揮発性のＲＯＭ（Read Only Memory）やＨＤＤ（Hard Disk Drive）、データを一時的に記憶するＲＡＭ（Random Access Memory）、および、周辺回路により構成されている。
【００２２】
図３は、ユーザ端末３の構成を示すブロック図である。
本実施形態におけるユーザ端末３は、ＰＣ（パーソナルコンピュータ）３０、プリンタ３１により構成されている。ここで、ＰＣ３０には、演算処理を実行するＣＰＵ（Central Processing Unit）、制御プログラムが記憶されたＲＯＭ（Read Only Memory）やＨＤＤ（Hard Disk Drive）、データを一時的に記憶するＲＡＭ（Random Access Memory）が設けられている。また、ＰＣ３０には、ウエブサーバ５Ａ等との間でデータの送受信を行う通信インターフェース（通信Ｉ／Ｆ）（不図示）が設けられている。また、ＰＣ３０の例えばＨＤＤには、ウエブブラウザ３２およびアプリケーションプログラム３３が組み込まれている。
【００２３】
図４は、本実施形態の形態に係る処理システム１００における処理の流れを示したフローチャートである。
本実施形態の処理システム１００では、まず、ユーザ端末３にてユーザの操作が行われ、ユーザの個人情報等が入力される。具体的に説明すると、まず、ユーザ端末３のＰＣ３０におけるウエブブラウザ３２上にてユーザによる操作が行われ、ユーザが応募しようとしているキャンペーンの選択が行われる（ステップ１０１）。次いで、ウエブブラウザ３２上で、ユーザの氏名、住所、電話番号などのユーザの個人情報が入力される（ステップ１０２）。
【００２４】
その後、ウエブブラウザ３２上の送信ボタンがユーザにより押圧され、ユーザが選択したキャンペーンに関する情報（以下、「選択情報」と称することがある）、および、ユーザの個人情報が、ウエブサーバ５Ａへ送信される（ステップ１０３）。その後、受信手段、受け付け手段の一例としてのウエブサーバ５Ａの通信Ｉ／Ｆにより、この選択情報およびユーザ個人情報が受信される。
【００２５】
その後、コード画像生成手段として機能するウエブサーバ５ＡのＣＰＵは、ユーザが選択したキャンペーンを識別するための識別コード、および、ユーザの個人情報を埋め込んだコード画像（機械読み取り可能なコード画像）を生成する（ステップ２０１）。なお、コード画像の生成に際しては、ユーザの個人情報を暗号化したうえでコード画像とすることが好ましい。次いで、ウエブサーバ５Ａは、生成したコード画像を含む応募用紙を作成する（ステップ２０２）。その後、ウエブサーバ５Ａは、作成したこの応募用紙の画像データをプリントサーバ５Ｂに送信する（ステップ２０３）。これにより本実施形態では、この応募用紙がプリントサーバ５Ｂに登録（格納）される。
【００２６】
ここで、応募用紙がプリントサーバ５Ｂにて登録されると、プリント予約番号がプリントサーバ５Ｂにて発行され、この予約番号がウエブブラウザ３２を介してユーザに通知される。なお、上記では説明を省略したが、上記コード画像には、例えばＱＲ（Quick Response）コード（登録商標）が用いることができる。なお、ＱＲコードは一例であり、ＱＲコード以外のコード画像（例えば一次元のバーコード）を用いることもできる。
【００２７】
上記ステップ２０３までの処理が終了した後、本実施形態の処理システム１００では、コンビニエンスストアに設置された画像形成装置４がユーザにより操作され、プリントサーバ５Ｂに登録された応募用紙が、コンビニエンスストアに設置された画像形成装置４にて印刷される。
図５は、応募用紙の印刷が行われる際に実行される処理の流れを示したフローチャートである。
まず、画像形成装置４では、上記プリント予約番号がＵＩ４３を通じてユーザにより入力された後、このプリント予約番号が制御部４５、通信Ｉ／Ｆによってプリントサーバ５Ｂに送信される（ステップ３０１）。そしてこの予約番号をプリントサーバ５Ｂが受信すると、プリントサーバ５Ｂは、この予約番号に対応した応募用紙をＨＤＤなどから構成される記憶部から読み出す（ステップ４０１）。次いで、画像データ送信手段として機能するプリントサーバ５Ｂの通信Ｉ／Ｆが、この応募用紙の画像データを画像形成装置４に送信する（ステップ４０２）。
【００２８】
そして、画像データ取得手段として機能する画像形成装置４の通信Ｉ／Ｆにて、応募用紙の画像データが受信されると、画像形成装置４に設けられた画像形成部４２がこの応募用紙の印刷を行う（ステップ３０２）。これにより、コード画像が形成された応募用紙をユーザが手に入れるようになる。なお、本実施形態における応募用紙は、図６（応募用紙を説明するための図）に示すように矩形状に形成され、四隅のそれぞれにコード画像が形成された状態となっている。
【００２９】
その後、ユーザが応募用紙を自宅などに持ち帰るとともに、イメージキャラクターなどの描画をユーザはこの応募用紙に対して行なう。そして、本実施形態では、この応募用紙が再びコンビニエンスストアに持ち込まれ、応募用紙に書き込まれた内容（ユーザによって形成された形成画像）が画像形成装置４の通信Ｉ／Ｆを介してイメージデータ受信サーバ５Ｃへ送信される。
【００３０】
図７は、応募用紙の内容がイメージデータ受信サーバ５Ｃへ送信される際の処理の流れを示したフローチャートである。
応募用紙の内容の送信時には、まず、ユーザによって、画像形成装置４に設けられた画像読み取り部４１に応募用紙がセットされる。また、ＵＩ４３がユーザにより操作され、キャンペーン応募用の操作画面が表示される。次いで、この操作画面に対するユーザの操作が行われるとともに、不図示のスタートボタンがユーザにより押圧される。そして、スタートボタンがユーザにより押圧されると、制御部４５は、画像読み取り部４１を動作させ応募用紙上の画像の読み取りを行う（ステップ５０１）。
【００３１】
次いで、制御部４５は、画像読み取り部４１により読み取られた画像を解析し、この画像に上記コード画像が含まれているか否かを判断する（ステップ５０２）。そして、コード画像が含まれていないと判断した場合、制御部４５は、イメージデータ受信サーバ５Ｃへの画像データの送信を行うことなく、処理を終了する。これにより、キャンペーンに関係のない画像がイメージデータ受信サーバ５Ｃに格納されることが防止される。ここで、イメージデータ受信サーバ５Ｃへの画像データの送信を行わない場合、制御部４５は、ＵＩ４３を介し、例えば、キャンペーン対象外の用紙がセットされている旨をユーザに通知する。
【００３２】
なお、本実施形態の応募用紙では上記のようにコード画像が応募用紙の四隅に形成され、コード画像が四つ形成されている。ここで、画像読み取り部４１により読み取られた画像中に四つのコード画像が含まれていない場合（全てのコード画像が含まれていない場合）、ＵＩ４３を通じ、ユーザに対し、再度の画像読み取りが必要な旨を通知することができる。このような処理を行う場合、応募用紙の折れ曲がりなどに起因して一部の画像が読めなくなるなどの不具合が生じにくくなる。
【００３３】
一方、ステップ５０２において、コード画像が含まれていると判断した場合、情報取得手段としても機能する制御部４５は、このコード画像の部分を解析し（ステップ５０３）、このコード画像から情報（ユーザが応募したキャンペーンに関する情報、ユーザの個人情報）を取得する（ステップ５０４）。そして、送信手段として機能する通信Ｉ／Ｆが、この情報をイメージデータ受信サーバ５Ｃへ送信し（ステップ５０５）、解析情報受信手段として機能するイメージデータ受信サーバ５Ｃの通信Ｉ／Ｆが、解析により得られたこの情報を受信する（ステップ６０１）。
【００３４】
その後、判定手段として機能するイメージデータ受信サーバ５ＣのＣＰＵは、受信した情報により特定される事項が予め定められた条件を満たしているか否かを判定する（ステップ６０２）。その後、判定結果送信手段として機能するイメージデータ受信サーバ５Ｃの通信Ｉ／Ｆが、判定結果を画像形成装置４へ送信する（ステップ６０３）。そして、判定結果を受信した画像形成装置４は、受信したこの判定結果が、上記予め定められた条件を満たすとの判定結果であるか否かを判断する（ステップ５０６）。そして、画像形成装置４の制御部４５は、受信した判定結果が上記予め定められた条件を満たさないとの判定結果であると判断した場合、画像データの送信を行うことなく処理を終了する。なお、この場合、制御部４５は、ＵＩ４３を介し、ユーザに対し、画像データの送信を行わない旨の通知を行う。
【００３５】
一方で、受信した判定結果が、上記予め定められた条件を満たすとの判定結果であると判断した場合、画像形成装置４の通信Ｉ／Ｆが、上記ステップ５０１の処理により得られた画像データをイメージデータ受信サーバ５Ｃへ送信する（ステップ５０７）。そして、この画像データを受信したイメージデータ受信サーバ５Ｃは、受信したこの画像データ、および、上記ステップ６０１にて受信した情報（ユーザが選択したキャンペーンに関する情報、ユーザの個人情報）を互いに関連付けた状態で、ＨＤＤなどにより構成される記憶手段に記憶させる（ステップ６０４）。これにより、キャンペーンに対するユーザによる応募が終了する。
【００３６】
なお、本実施形態では、コード画像の解析を画像形成装置４にて行なう場合を説明したが、コード画像の画像データをイメージデータ受信サーバ５Ｃへ送信し、このイメージデータ受信サーバ５Ｃにてコード画像の解析を行うこともできる。また、上記では、ユーザ端末３がＰＣ３０およびプリンタ３１により構成された場合を説明したが、ＰＣ３０に換えて携帯電話端末等を用いることもできる。
【００３７】
ここで、本実施形態では、上記のとおり、イメージデータ受信サーバ５Ｃにおいて、コード画像の解析により得られた情報により特定される事項が、予め定められた条件を満たしているか否かを判定し、判定結果を画像形成装置４に送信する。
【００３８】
ここで、上記予め定められた条件としては、例えば、キャンペーンの有効期限を挙げることができる。より具体的には、上記ステップ６０２における判定処理では、例えば、コード画像の解析により得られた情報により特定されるキャンペーン（ユーザが選択したキャンペーン）が、現在も有効なキャンペーンであるか否かを判定することができる。
【００３９】
そして、現在も有効なキャンペーンである場合には、現在も有効である旨の判定結果が画像形成装置４に送信され、現在は有効ではないキャンペーンである場合には、現在は有効ではない旨の判定結果が画像形成装置４に送信される。なお、現在は有効ではない旨の判定結果が画像形成装置４に送信された場合、画像形成装置４は、上記のとおり、画像データのイメージデータ受信サーバ５Ｃへの送信を行わない。また、この場合、画像形成装置４は、ＵＩ４３を介し、例えば、キャンペーンが終了している旨をユーザに通知する。
【００４０】
また、上記予め定められた条件としては、例えば、キャンペーンに対する応募数を挙げることができる。より具体的に説明すると、上記ステップ６０２における判定処理では、コード画像の解析により得られた情報に基づきユーザが応募を行なっているキャンペーンを特定するとともに、ユーザが応募を行なっているこのキャンペーンについての現在までの応募数を把握し、さらに、把握したこの応募数が予め定められた応募数を超えているか否かを判定することができる。
【００４１】
そして、例えば、現在までの応募数がこの予め定められた応募数以下である場合には、応募数が予め定められた応募数以下である旨の判定結果が画像形成装置４に送信され、現在までの応募数がこの予め定められた応募数を超えている場合には、応募数が予め定められた応募数を超えている旨の判定結果が画像形成装置４に送信される。なお、応募数が予め定められた応募数を超えている旨の判定結果が画像形成装置４に送信された場合、画像形成装置４は、画像データのイメージデータ受信サーバ５Ｃへの送信を行わない。また、この場合、画像形成装置４は、ＵＩ４３を介し、例えば、応募数が予め定められた応募数を超えている旨をユーザに通知する。
【００４２】
また、上記予め定められた条件として、例えば、応募用紙の使用回数を挙げることができる。より具体的に説明すると、上記ステップ６０２における判定処理では、ユーザが用いた応募用紙の現在までの使用回数を把握（特定）し、把握した使用回数が予め定められた回数を超えているか否かを判定することができる。そして、使用回数が予め定められた回数以下である場合には、使用回数が予め定められた回数以下である旨の判定結果が画像形成装置４に送信され、使用回数が予め定められた回数を超えている場合には、使用回数が予め定められた回数を超えている旨の判定結果が画像形成装置４に送信される。
【００４３】
なお、使用回数が予め定められた回数を超えている旨の判定結果が画像形成装置４に送信された場合、画像形成装置４は、上記と同様、画像データのイメージデータ受信サーバ５Ｃへの送信を行わない。また、この場合、画像形成装置４は、ＵＩ４３を介し、例えば、応募用紙の使用回数が予め定められた回数を超えている旨をユーザに通知する。
【００４４】
なお、応募用紙の使用回数は、次のように把握（特定）することができる。例えば、シリアル番号など各用紙を識別するための識別情報（一の用紙を他の用紙から識別するための識別情報）を上記コード画像に含める。そして、画像形成装置４にてこのコード画像が読み取られる度に、この識別情報をイメージデータ受信サーバ５Ｃに送信する。一方で、イメージデータ受信サーバ５Ｃは、この識別情報に対応付けて応募用紙の使用回数を記憶するとともに、識別情報が送信されてくる度に、用紙の使用回数に１を加算する。これにより、イメージデータ受信サーバ５Ｃにて応募用紙の使用回数が把握されるようになる。
【００４５】
ここで、本実施形態では、上記のとおり、ユーザの個人情報がユーザ端末３を介して取得（入力）される態様を説明した。ところで、ユーザの個人情報については、このような方法以外に、例えば、応募用紙に対してユーザが手書きで個人情報を書き込み、手書きされたこの個人情報を画像形成装置４の画像読み取り部４１で読み取ることで取得することもできる。付言すると、上記ステップ５０１にて応募用紙上の画像の読み取りが行われる際に、ユーザの個人情報も併せて読み取り、個人情報をイメージデータとして取得することもできる。そしてこの場合は、後に、この個人情報が電子データ化（テキストデータ化）される。
【００４６】
ところで、個人情報の電子データ化（テキストデータ化）には、人員を要しコストがかかる。なお、例えばＯＣＲ（Optical Character Reader）を用いた場合にも、誤認識の問題が避けられず、誤って認識された箇所の修正のための人員を要するようになる。また、ユーザによる手書きが行われる場合、記入漏れの発生や文字の判読ができないなどの不具合も生じやすくなる。また他の方法として、画像形成装置４のＵＩ４３にて個人情報を入力してもらうことで個人情報を取得する方法もあるが、かかる場合、一人のユーザが画像形成装置４を占有する時間が長くなってしまう。またこの場合、ユーザはコンビニエンスストアまで行く必要が生じ、ユーザは手間を要するようになる。また、画像形成装置４が設置されるコンビニエンスストアは人の出入りが多く、ＵＩ４３にて入力された個人情報が第三者に見られやすい状況が生じる。
【００４７】
一方で、本実施形態における構成では、ユーザの個人情報がユーザ端末３にて入力され、このユーザ端末３にて電子データ化（テキストデータ化）される。このため、本実施形態における構成では、ユーザの個人情報を電子データ化（テキストデータ化）する人員が不要となり、システム全体のコストが低減されるようになる。また、本実施形態の構成の場合、ユーザによって直接、個人情報がテキストデータとして入力されるため、文字の判読ができないという不具合も生じにくくなる。
【００４８】
さらに、本実施形態では、ウエブブラウザ３２上に表示される、個人情報の入力画面にて、予め定められた項目に対する入力がない場合にその旨をユーザに対して通知するようにすれば、記入漏れの発生も抑制されるようになる。また、ユーザが有するユーザ端末３にて個人情報の入力が行われるため、一人のユーザが長時間、画像形成装置４を占有することがなくなり、また、ＵＩ４３に表示されている個人情報が第三者に見られることも起きにくくなる。
【００４９】
なお、上記では、応募用紙中のコード画像にユーザの個人情報を含ませる場合を説明したが、このコード画像には、ユーザの個人情報を含めずにシリアル番号など各応募用紙を識別するための応募用紙識別情報のみを含ませることもできる。そして、この場合、ユーザの個人情報は、ユーザ端末３にて入力された後、ウエブサーバ５Ａおよびネットワーク２を介してイメージデータ受信サーバ５Ｃへ送信され、このイメージデータ受信サーバ５Ｃへ格納される。なおこの際、ユーザの個人情報と応募用紙識別情報とが対応付けられたうえでイメージデータ受信サーバ５Ｃへ格納される。
【００５０】
そして、画像形成装置４にて応募用紙上の画像が読み取られ、応募用紙識別情報とともに画像データが画像形成装置４から送信されてきたとき、応募用紙識別情報が用いられ、既に格納されているユーザの個人情報に対応付けられたうえでこの画像データがイメージデータ受信サーバ５Ｃへ格納される。
【００５１】
ところで、応募用紙のコード画像にユーザの個人情報を含めない場合は、上記のとおり、ユーザの個人情報をイメージデータ受信サーバ５Ｃに格納しておく必要が生じる。かかる場合、一つのサーバに複数のユーザの個人情報が格納されるようになり、情報漏洩のリスクが高まる。このため、本実施形態では、コード画像にユーザの個人情報を含ませるようにし、応募用紙による実際の応募があった際にこのコード画像から個人情報を取得するようにしている。付言すると、応募用紙による実際の応募があった際に、個人情報の記憶を行うようにしている。この場合、ユーザの実際の応募がなされるまでは個人情報の管理（記憶）が不要となり、情報漏洩のリスクが低減される。
【００５２】
なお、本実施形態では、ユーザの個人情報がユーザ端末３からウエブサーバ５Ａに送信され、個人情報を含んだコード画像が形成された応募用紙がウエブサーバ５Ａにて作成される場合を説明したが、応募用紙を作成するためのアプリケーションプログラムを例えばウエブサーバ５Ａからユーザ端末３にダウンロードし、ユーザ端末３にて応募用紙を作成し、ユーザ端末３に設けられたプリンタ３１にて応募用紙を印刷する構成とすることもできる。ユーザによっては個人情報の漏洩を気にする場合があり、このようなユーザにとっては個人情報が極力外部に送信されない構成とすることが好ましい。上記のように、ユーザ端末３にアプリケーションプログラムをダウンロードして応募用紙を作成する場合、個人情報が外部へ送信されることなく応募用紙が作成される。
【００５３】
また、上記では、ウエブサーバ５Ａにて発行された応募用紙がプリントサーバ５Ｂに登録された後、画像形成装置４へこの応募用紙が読み出され、画像形成装置４にて応募用紙が印刷される場合を説明した。ところでこのような態様に限らず、例えば、ウエブサーバ５Ａにて発行された応募用紙をプリントサーバ５Ｂに登録せずにウエブサーバ５Ａ上に配置し、ユーザ端末３に設けられたプリンタ３１により応募用紙を印刷することもできる。このように、プリントサーバ５Ｂへの応募用紙の登録を行わない構成とすれば、プリントサーバ５Ｂからの情報の漏洩が防止される。
【００５４】
なお、上記の実施の形態にて示した各種処理は、ユーザ端末３、画像形成装置４、サーバ装置５にて実行されるプログラムで実現される。このプログラムは、ユーザ端末３、画像形成装置４、サーバ装置５を顧客（ユーザを含む）に対して提供する際に、装置の中にインストールされた状態にて提供される場合の他、プログラムをコンピュータが読取可能に記憶した記憶媒体等にて提供する形態が考えられる。この記憶媒体としては、例えばＣＤ−ＲＯＭ媒体等が該当し、ＣＤ−ＲＯＭ読取装置（図示せず）等によってプログラムが読み取られることでこのプログラムが実行されるようになる。また、上記プログラムは、例えばプログラム伝送装置（図示せず）によってネットワークを介して提供される場合もある。
【符号の説明】
【００５５】
３…ユーザ端末、４…画像形成装置、５…サーバ装置、５Ａ…ウエブサーバ、５Ｃ…イメージデータ受信サーバ、４１…画像読み取り部、４２…画像形成部、４５…制御部、１００…処理システム
【図１】
2013070167.tif 000003
【図２】
2013070167.tif 000004
【図３】
2013070167.tif 000005
【図４】
2013070167.tif 000006
【図５】
2013070167.tif 000007
【図６】
2013070167.tif 000008
【図７】
2013070167.tif 000009